(57)【特許請求の範囲】
【請求項１】
ＬＴＥ＋システムの下り回線制御チャネルである第１制御チャネルが配置されるＣＣＥ＋に、ＣＣＥ＋番号を割り当てるＣＣＥ＋番号割当方法であって、
ＬＴＥシステムの下り回線制御チャネルである第２制御チャネルであって、前記第１制御チャネルが配置されるＣＣＥ＋を構成するリソースエレメント領域に割り当てられた前記第２制御チャネルが配置されるＣＣＥのＣＣＥ番号から、番号を選択し、ＣＣＥ＋番号とする、
ＣＣＥ＋番号割当方法。
【請求項２】
前記第２制御チャネルが配置されるＣＣＥの数のうち、いずれか一つを基準ＣＣＥ数として選択し、
前記第１制御チャネルが配置されるＣＣＥ＋を構成するリソースエレメント領域の開始位置を、前記基準ＣＣＥ数のＣＣＥを構成するリソースエレメント領域の整数倍の開始位置に合わせる、
請求項１に記載のＣＣＥ＋番号割当方法。
【請求項３】
１つのＣＣＥ＋を構成するリソースエレメント領域のＭ倍（Ｍは自然数）は、１つのＣＣＥを構成するリソースエレメント領域のＮ倍（Ｎは、Ｎ＞Ｍ、及び、Ｎ／Ｍ＜２を満たす自然数）に等しい、
請求項１に記載のＣＣＥ＋番号割当方法。
【請求項４】
前記第１制御チャネルが配置されるＣＣＥ＋の数が１の場合、連続するＭ個のＣＣＥ＋を構成するリソースエレメント領域の開始位置を、
ＣＣＥ番号  ｍｏｄ  Ｎ＝１
となるＣＣＥ番号のリソースエレメント領域の開始位置に合わせる、
請求項３に記載のＣＣＥ＋番号割当方法。
【請求項５】
前記第１制御チャネルが配置されるＣＣＥ＋の数ＫがＫ＝２ｋ（ｋは自然数）の場合、連続するＫ個の連続したＣＣＥ＋を構成するリソースエレメント領域の開始位置を、
ＣＣＥ番号  ｍｏｄ  （Ｎ・Ｋ／２）＝１
となるＣＣＥ番号のリソースエレメント領域の開始位置に合わせる、
請求項３に記載のＣＣＥ＋番号割当方法。
【請求項６】
前記第２制御チャネルが配置されるＣＣＥの数Ｌが、Ｌ＝２ｐ−１（ｐは自然数）であり、前記第１制御チャネルが配置されるＣＣＥ＋の数が１の場合、
連続するＭ個のＣＣＥ＋を構成するリソースエレメント領域の開始位置を、
ＣＣＥ番号  ｍｏｄ  ４＝１
となるＣＣＥ番号のリソースエレメント領域の開始位置に合わせる、
請求項３に記載のＣＣＥ＋番号割当方法。
【請求項７】
前記第２制御チャネルが配置されるＣＣＥの数Ｌが、Ｌ＝２ｐ−１（ｐは自然数）であり、前記第１制御チャネルが配置されるＣＣＥ＋の数ＫがＫ＝２ｋ（ｋは自然数）の場合、
連続するＫ個のＣＣＥ＋を構成するリソースエレメント領域の開始位置を、
ＣＣＥ番号  ｍｏｄ  （２×Ｋ）＝１
となるＣＣＥ番号のリソースエレメント領域の開始位置に合わせる、
請求項３に記載のＣＣＥ＋番号割当方法。
【請求項８】
前記第１制御チャネルが配置されるＣＣＥ＋の数ＫがＫ＝２ｋ（ｋは自然数）の場合、
連続するＫ×Ｍ個のＣＣＥ＋を構成するリソースエレメント領域の開始位置を、
ＣＣＥ番号  ｍｏｄ  （４×Ｋ）＝１
となるＣＣＥ番号のリソースエレメント領域の開始位置に合わせる、
請求項３に記載のＣＣＥ＋番号割当方法。
【請求項９】
前記第２制御チャネルが配置されるＣＣＥの数Ｌが、Ｌ＝２ｑ−１（ｑは自然数）であり、
前記第１制御チャネルが配置されるＣＣＥ＋の数Ｋを、Ｋ＝１，Ｍ×Ｌとする、
請求項３に記載のＣＣＥ＋番号割当方法。
【請求項１０】
Ｎ＝３であり、Ｍ＝２である、
請求項３に記載のＣＣＥ＋番号割当方法。
【請求項１１】
Ｎ＝４であり、Ｍ＝３である、
請求項３に記載のＣＣＥ＋番号割当方法。
【請求項１２】
ＬＴＥ＋システムの下り回線制御チャネルが配置されるＣＣＥ＋を構成するリソースエレメント領域に割り当てられたＬＴＥシステムの下り回線制御チャネルが配置されるＣＣＥのＣＣＥ番号から、番号を選択し、ＣＣＥ＋番号として割り当てられたＣＣＥ＋番号割当マッピングを保持し、
前記ＣＣＥ＋番号割当マッピングから、特定のＣＣＥ＋番号を選択して、前記ＬＴＥ＋システムの下り回線制御チャネルに割り当てるマッピング手段と、
前記特定のＣＣＥ＋領域に割り当てられたＬＴＥ＋システムの下り回線制御チャネルを送信する送信手段と、
を具備する基地局装置。
【発明の詳細な説明】
【技術分野】
【０００１】
本発明は、ＬＴＥ（Long Term Evolution）システム及びＬＴＥ＋（Long Term Evolution Advanced）システムが共存する混在システムにおけるＣＣＥ＋番号割当方法及び基地局装置に関する。
【背景技術】
【０００２】
移動体通信では、無線通信基地局装置（以下、基地局と省略する）から無線通信移動局装置（以下、移動局と省略する）への下り回線（ＤＬ：Downlink）と、移動局から基地局への上り回線（ＵＬ：Uplink）を用いて通信が行われる。
【０００３】
上り回線と下り回線とは、対応付けられており、例えば下り回線データに対してＡＲＱ（Automatic Repeat Request）が適用される場合、移動局は下り回線データの誤り検出結果を示す応答信号を、上り回線を使用して基地局へフィードバックする。移動局は下り回線データに対しＣＲＣ（Cyclic Redundancy Check）を行って、ＣＲＣ＝ＯＫ（誤り無し）であればＡＣＫ（Acknowledgment）を、ＣＲＣ＝ＮＧ（誤り有り）であればＮＡＣＫ（Negative Acknowledgment）を応答信号として基地局へフィードバックする。この応答信号は例えばＰＵＣＣＨ（Physical Uplink Control Channel）等の上り回線制御チャネルを用いて基地局へ送信される。
【０００４】
また、非特許文献１に示すように、基地局は下り回線データのリソース割当結果を通知するための制御情報を移動局へ送信する。この制御情報は例えばＰＤＣＣＨ（Physical Downlink Control Channel）等の下り回線制御チャネルを用いて移動局へ送信される。各ＰＤＣＣＨは、１つまたは複数のＣＣＥに配置される。１つのＰＤＣＣＨが複数のＣＣＥ（Control Channel Element）に配置される場合、１つのＰＤＣＣＨは連続する複数のＣＣＥに配置される。制御情報を通知するために必要なＣＣＥ数（ＣＣＥアグリゲーション（aggregation）サイズ）に従って、基地局は複数のＰＤＣＣＨのうちのいずれかのＰＤＣＣＨを各移動局に対し割り当て、各ＰＤＣＣＨが配置されるＣＣＥ（Control Channel Element）に対応する物理リソースに制御情報をマッピングして送信する。
【０００５】
また、下り回線の通信リソースを効率よく使用するために、ＣＣＥとＰＵＣＣＨとを対応付けることが検討されている。各移動局は、この対応付けに従って、自局への制御情報がマッピングされている物理リソースに対応するＣＣＥから、自局からの応答信号の送信に用いるＰＵＣＣＨを判定することができる。
【０００６】
このように、上り回線と下り回線とは対応付けられているため、複数の通信システムを混在させたい場合に、それぞれの通信システムに対して上り回線と下り回線を割り当てると、周波数リソースが足りなくなるという問題がある。また、古い通信システムが運用される帯域に新しい通信システムが加わるような場合には、古い通信システムの移動局に何ら変更を行うことなく新しい通信システムでもそのまま使用できることが望ましい。これらの問題を解決する方法として、特許文献１には、周波数オーバレイシステムが提案されている。
【０００７】
特許文献１では、周波数利用効率の向上を目的に、古い通信システムと新しい通信システムとを共存させる場合に、新しい通信システムは、古い通信システムの周波数を含むように設計され、新しい通信システムでは、古い通信システムの周波数も含めてスケジューリングが行われる。また、古い通信システムで使用されるプリアンブルチャネル（リファレンス信号）と新しい通信システムで使用されるプリアンブルチャネル（リファレンス信
号）との相関を低いものにし、チャネル推定精度を向上させる設計とする。また、制御チャネルを新しい通信システムと古い通信システムとに別々に設けて、異なる周波数帯で送信する。
【先行技術文献】
【特許文献】
【０００８】
【特許文献１】特開２００６−３０４３１２号公報
【非特許文献】
【０００９】
【非特許文献１】Nobuhiko Miki, Yoshihisa Kishiyama, Kenichi Higuchi, and Mamoru Sawahashi, "Investigation on Optimum Coding and Multiplexing Schemes forL1/L2Control Signals in OFDM Based Evolved UTRA Downlink", The 18th Annual IEEE International Symposium on Personal, Indoor and Mobile Radio Communications (PIMRC'07)
【発明の概要】
【発明が解決しようとする課題】
【００１０】
しかしながら、新しい通信システムと、古い通信システムとを共存させる場合に、制御信号用の制御チャネルを別々に設けると、周波数利用効率が劣化するという課題がある。そこで、同一の周波数を用いて新しい通信システムの制御チャネルと古い通信システムの制御チャネルとを送信することが考えられる。この場合、古い通信システムでは、信号の時間・周波数配置又は信号量等のフォーマットが既に定められているので、新しい通信システムは、古い通信システムのフォーマットに従う必要がある。
【００１１】
例えば、古い通信システムである３ＧＰＰ  ＬＴＥと、新しい通信システムであるＬＴＥ＋（IMT advanced，LTE advanced，４Ｇとも呼ばれる）とを共存させる場合を考える。このとき、ＬＴＥ＋において、下り回線データのリソース割当結果を通知するための制御情報を、ＰＤＣＣＨ＋を用いてＬＴＥ＋の移動局へ送信する場合に、ＬＴＥのＣＣＥのフォーマットをそのまま用いると、送信することができる情報量が、ＬＴＥのＣＣＥのフォーマットに限定されてしまう。
【００１２】
一方、ＬＴＥ＋において、ＰＤＣＣＨ＋が配置されるＣＣＥ＋のフォーマットを、ＬＴＥのＣＣＥのフォーマットと独立に新たに定義すると、ＬＴＥ＋用に定義したＣＣＥ＋のフォーマットと、ＬＴＥ用のＣＣＥのフォーマットとが使用される場合に、ＰＤＣＣＨ＋が配置されるＣＣＥ＋番号とＰＤＣＣＨが配置されるＣＣＥ番号とが重なってしまう可能性がある。この結果、ＣＣＥ＋番号に関連付けられているＰＵＣＣＨ＋の送信場所と、ＣＣＥ番号に関連付けられているＰＵＣＣＨの送信場所とがぶつかってしまい、ＡＣＫ／ＮＡＣＫの衝突が起こるという課題がある。
【００１３】
本発明の目的は、ＬＴＥシステム及びＬＴＥ＋システムが共存する混在システムにおいて、ＡＣＫ／ＮＡＣＫの衝突を回避することができるＣＣＥ＋番号割当方法及び基地局装置を提供することである。
【課題を解決するための手段】
【００１４】
本発明のＣＣＥ＋番号割当方法は、ＬＴＥ＋システムの下り回線制御チャネルである第１制御チャネルが配置されるＣＣＥ＋に、ＣＣＥ＋番号を割り当てるＣＣＥ＋番号割当方法であって、ＬＴＥシステムの下り回線制御チャネルである第２制御チャネルであって、前記第１制御チャネルが配置されるＣＣＥ＋を構成するリソースエレメント領域に割り当てられた前記第２制御チャネルが配置されるＣＣＥのＣＣＥ番号から、番号を選択しＣＣＥ＋番号とする、ようにした。
【００１５】
本発明の基地局装置は、ＬＴＥ＋システムの下り回線制御チャネルが配置されるＣＣＥ＋を構成するリソースエレメント領域に割り当てられた、ＬＴＥシステムの下り回線制御チャネルが配置されるＣＣＥのＣＣＥ番号から、番号を選択し、ＣＣＥ＋番号として割り当てられたＣＣＥ＋番号割当マッピングを保持し、前記ＣＣＥ＋番号割当マッピングから、特定のＣＣＥ＋番号を選択して、前記ＬＴＥ＋システムの下り回線制御チャネルに割り当てるマッピング手段と、前記特定のＣＣＥ＋領域に割り当てられたＬＴＥ＋システムの下り回線制御チャネルを送信する送信手段と、を具備する構成を採る。
【発明の効果】
【００１６】
本発明によれば、ＬＴＥシステム及びＬＴＥ＋システムが共存する混在システムにおいて、ＡＣＫ／ＮＡＣＫの衝突を低減することができる。
【図面の簡単な説明】
【００１７】
【図１】本発明の実施の形態１におけるＣＣＥ及びＣＣＥ＋の配置例を示す図
【図２】３つのＣＣＥを構成するリソースエレメント領域を、２つのＣＣＥ＋に割り当てる場合に取り得る配置例を示す図
【図３】実施の形態１におけるＣＣＥ及びＣＣＥ＋の配置例を示す図
【図４】実施の形態１におけるＣＣＥ及びＣＣＥ＋の別の配置例を示す図
【図５】実施の形態１に係る基地局装置の要部構成を示す図
【図６】実施の形態１に係る移動局装置の要部構成を示す図
【図７】本発明の実施の形態２におけるＣＣＥ及びＣＣＥ＋の配置例を示す図
【図８】実施の形態２におけるＣＣＥ及びＣＣＥ＋の配置例を示す図
【図９】実施の形態２におけるＣＣＥ及びＣＣＥ＋の別の配置例を示す図
【図１０】本発明の実施の形態３におけるＣＣＥ及びＣＣＥ＋の配置例を示す図
【発明を実施するための形態】
【００１８】
以下、本発明の実施の形態について、図面を参照して詳細に説明する。
【００１９】
先ず、実施の形態の具体的な構成及び動作を説明する前に、実施の形態において想定される通信システムについて説明する。
【００２０】
（１）古い通信システム及び新しい通信システムとして、以下のシステムを想定する。
古い通信システム：ＬＴＥ（Long Term Evolution）
新しい通信システム：ＬＴＥ＋（「LTE Advanced」、「IMT advanced」又は「４Ｇ」とも呼ばれる）
【００２１】
（２）ＬＴＥシステムでは、ＰＤＣＣＨのＣＣＥ番号と、ＰＵＣＣＨとが関連付けられている。ＰＤＣＣＨは、ＬＴＥシステムの下り制御回線チャネルである。また、ＰＵＣＣＨは、ＬＴＥシステムの上り回線制御チャネルであり、ＡＣＫ又はＮＡＣＫをフィードバックするための制御チャネルであるため、ＡＣＫ／ＮＡＣＫチャネルと称されることもある。
【００２２】
（３）ＬＴＥシステムでは、ＣＣＥ（ＰＤＣＣＨの１単位）は、３６ＲＥ（Resource Element：リソースエレメント）で構成されている。
【００２３】
（実施の形態１）
本実施の形態では、ＬＴＥ＋用のＣＣＥ＋を５４ＲＥで構成し、ＬＴＥ用のＣＣＥ３つで、ＣＣＥ＋２つを構成する場合について説明する。このとき、ＰＤＣＣＨ＋が配置されるＣＣＥ＋を構成するリソースエレメント領域に割り当てられたＰＤＣＣＨが配置される
ＣＣＥのＣＣＥ番号から、番号を選択し、ＣＣＥ＋番号とする。ＰＤＣＣＨ＋は、ＬＴＥ＋システムの下り回線制御チャネルである。これにより、ＬＴＥ用のＰＤＣＣＨとＬＴＥ＋用のＰＤＣＣＨ＋とを同時に送信する場合においても、ＣＣＥ番号とＣＣＥ＋番号とが重複して選択されないようになるので、ＣＣＥ＋番号に関連付けられているＰＵＣＣＨ＋の送信場所と、ＣＣＥ番号に関連付けられているＰＵＣＣＨの送信場所とがぶつかるのを回避することができ、ＡＣＫ／ＮＡＣＫの衝突確率を低減することができる。
【００２４】
図１に、本実施の形態におけるＣＣＥ及びＣＣＥ＋の配置例を示す。なお、図１において、ＣＣＥ＃ｉは、ＣＣＥ番号がｉであることを示し、同様に、ＣＣＥ＋＃ｉは、ＣＣＥ＋番号がｉであることを示す。
【００２５】
図１に示す例では、ＣＣＥ＃４，ＣＣＥ＃５，ＣＣＥ＃６の３つのＣＣＥを構成するリソースエレメント領域を２つに分割している。そして、３つのＣＣＥを構成するリソースエレメント領域に割り当てられた３つのＣＣＥ番号（４，５，６）から、２つの番号、具体的には、前半の番号「４」と後半の番号「６」を選択し、選択した番号をＣＣＥ＋番号として割り当てている。
【００２６】
ＬＴＥ＋では、例えば、上り回線情報、移動局のＩＤ、データサイズ、変調方式、上り回線の送信電力情報、変調情報等の制御情報をＰＤＣＣＨ＋に割り当てて送信する。ＬＴＥ＋では、アンテナ数の増加、割当帯域の増加により、送信すべき制御情報量がＬＴＥに比べ多くなると予想される。そのため、ＣＣＥ＋のサイズをＣＣＥのサイズより大きくする必要がある。図１の配置例では、ＣＣＥ＋を３６×３／２＝５４ＲＥで構成する。このようにして、本実施の形態では、ＣＣＥのサイズより大きいサイズをＣＣＥ＋のサイズとして確保する。
【００２７】
このとき、ＣＣＥとＣＣＥ＋とを、図１に示すような配置とすることにより、ＬＴＥ＋システムにおいて、ＰＤＣＣＨ＋がＣＣＥ＋＃４及びＣＣＥ＋＃６に配置される場合には、ＬＴＥシステムでは、ＰＤＣＣＨをＣＣＥ＃４〜＃６に配置されないようにする。また、ＬＴＥシステムにおいて、ＰＤＣＣＨがＣＣＥ＃４〜＃６に配置される場合には、ＬＴＥ＋システムでは、ＰＤＣＣＨ＋をＣＣＥ＋＃４〜＃６に配置されないようにする。このようにして、ＬＴＥとＬＴＥ＋とで共通のルールを用いてＰＤＣＣＨ及びＰＤＣＣＨ＋を配置する。
【００２８】
このようにして配置されたＰＤＣＣＨ、ＰＤＣＣＨ＋を用いて、ＡＣＫ／ＮＡＣＫを送信すると、ＰＤＣＣＨが配置されるＣＣＥ番号と、ＰＤＣＣＨ＋が配置されるＣＣＥ＋番号とが重複することがないので、ＡＣＫ／ＮＡＣＫの衝突を避けることができる。これにより、ＬＴＥ＋移動局も、ＬＴＥ移動局と同時にＡＣＫ／ＮＡＣＫ信号を送信することができる。
【００２９】
なお、図１は、ＣＣＥ番号及びＣＣＥ＋番号の配置を表しており、送信時には、ＣＣＥ及びＣＣＥ＋を４ＲＥごとに分割したＲＥＧ（resource element group）単位でインタリーブが掛けられて順番が入れ替わり送信される。
【００３０】
３つのＣＣＥを構成するリソースエレメント領域を、２つのＣＣＥ＋に割り当てる場合に取り得る配置例を、図２に示す。なお、図２のパターン２は、図１に示した配置例と同一である。
【００３１】
図２のパターン１では、ＣＣＥ＃２〜ＣＣＥ＃４のリソースエレメント領域が、２つのＣＣＥ＋に割り当てられている。図２のパターン２では、ＣＣＥ＃１〜ＣＣＥ＃３のリソースエレメント領域が、２つのＣＣＥ＋に割り当てられている。図２のパターン３では、
ＣＣＥ＃３〜ＣＣＥ＃５のリソースエレメント領域が、２つのＣＣＥ＋に割り当てられている。このように、３つのＣＣＥを構成するリソースエレメント領域を、２つのＣＣＥ＋に割り当てる場合、図２に示すように、３つのパターンが取り得る。
【００３２】
これらパターンを用いた場合のＣＣＥ＋の開始位置の候補を図２に矢印で示す。図２から分かるように、ＬＴＥにおいて、ＰＤＣＣＨを配置可能なＣＣＥが１６個（ＣＣＥ＃１，ＣＣＥ＃２，…，ＣＣＥ＃１６）の場合、ＣＣＥの開始位置の候補数は１６となる。これに対し、ＬＴＥ＋では、取り得るパターンが３つ（パターン１、パターン２、パターン３）あるため、ＣＣＥ＋の開始位置の候補数は２８となる。このように、ＬＴＥ＋では、ＣＣＥ＋の開始位置の候補数が、ＣＣＥの開始位置の候補数に比べ増大する。
【００３３】
開始位置の候補数が増大すると、受信側の移動局では、自局宛の割当があるか否かを判定するブラインド検出の回数が増える。この結果、移動局の処理量が増加する。そこで、以下では、ブラインド検出の回数を低減し、移動局の処理負荷を軽減する配置例を示す。
【００３４】
［配置例Ａ］
図３に、ブラインド検出の回数を減少することができる配置例Ａを示す。
【００３５】
配置例Ａでは、ＣＣＥ＃１〜ＣＣＥ＃１６を構成するリソースエレメント領域の先頭からＣＣＥ＋が詰められるようにして配置されている。なお、配置例Ａにおいて、ＣＣＥ数ｊは、ＰＤＣＣＨが配置されるＣＣＥアグリゲーション（aggregation）サイズがｊであることをあらわし、ＣＣＥ＋数ｊは、ＰＤＣＣＨ＋が配置されるＣＣＥ＋アグリゲーションサイズがｊであることをあらわす。
【００３６】
配置例ＡにおけるＣＣＥ＋数１の配置は、図２のパターン２と同じ配置である。すなわち、ＣＣＥ＋数１の開始位置の候補を、
ＣＣＥ＃ｉ  ｍｏｄ  ３  ＝１  
となるＣＣＥ＃ｉ（ＣＣＥ番号がｉ）の開始位置と、当該ＣＣＥ＃ｉの開始位置から、ＣＣＥ＋を構成するリソースエレメント領域（５４ＲＥ）だけシフトした位置とする。なお、「ＣＣＥ＃ｉ  ｍｏｄ  ｍ」は、ＣＣＥ＃ｉをｍで除算した余りを示す（以下同様）。
【００３７】
このように、連続する２個のＣＣＥ＋を構成するリソースエレメント領域の開始位置を、
ＣＣＥ＃ｉ  ｍｏｄ  ３＝１
となるＣＣＥ＃ｉのリソースエレメントの領域開始位置に合わせるような配置をとることにより、ＣＣＥ＃ｉの開始位置と、当該ＣＣＥ＃ｉの開始位置からＣＣＥ＋を構成するリソースエレメント領域（５４ＲＥ）だけシフトした位置とに限定することができるので、受信側のブラインド検出における候補位置を絞り込むことができる。
【００３８】
また、ＣＣＥ＋数がＫ（Ｋ≧２の整数）の場合、ＣＣＥ＋の開始位置の候補を、
ＣＣＥ＃ｉ  ｍｏｄ  （３×Ｋ／２）＝１
となるＣＣＥ＃ｉの開始位置とする。
【００３９】
このように、配置例Ａでは、ＣＣＥ＋の開始位置を限定することができるため、受信側でのブラインド検出回数を低減し、受信処理量を低減することができる。
【００４０】
また、ＣＣＥ＋をリソースエレメント領域の先頭から隙間なく詰めて配置することにより、余りとなるリソースエレメント領域を連続して確保することができる。例えば、ＣＣＥが３６ＲＥで構成され、ＣＣＥ＋が５４ＲＥで構成され、ＰＤＣＣＨを配置可能なＣＣＥが１６個（ＣＣＥ＃１，ＣＣＥ＃２，…，ＣＣＥ＃１６）の場合、ＣＣＥ＋数４では、
ＬＴＥ＋用のＰＤＣＣＨ＋を２つしか配置することができないので、余りとなるリソースエレメント領域が１４４ＲＥ分だけ存在することになる。このとき、ＣＣＥ＋をリソースエレメント領域の先頭から詰めて配置することにより、余りとなるリソースエレメント領域を連続して確保することができるようになる。この結果、図３に示すように、余りとなるリソースエレメント領域に、４つのＣＣＥ（ＣＣＥ＃１３，ＣＣＥ＃１４，ＣＣＥ＃１５，ＣＣＥ＃１６）を連続して配置することができる。
【００４１】
この余りとなるリソースエレメント領域に、図３に示すように、ＣＣＥ数１のＣＣＥ＃１３〜ＣＣＥ＃１６を配置して使用してもよい。また、ＣＣＥ数２のＣＣＥＣ＃１３，１４、ＣＣＥ＃１５，１６を配置して使用してもよい。また、ＣＣＥ数４のＣＣＥ＃１３〜１６を配置して使用することもできる。さらに、ＣＣＥ＋数１のＣＣＥ＋＃１３，ＣＣＥ＋＃１５を配置して使用したり、ＣＣＥ＋数２のＣＣＥ＋＃１３，１５を配置して使用したりすることもできる。
【００４２】
このように、配置例Ａでは、ＣＣＥ＋をリソースエレメント領域の先頭から隙間なく詰めて配置することにより、余りとなるリソースエレメント領域を連続して確保することができるので、余りとなるリソースエレメント領域に、ＰＤＣＣＨ、又は、ＣＣＥ＋数が小さいＰＤＣＣＨ＋を配置することによりリソース有効利用を図ることができる。
【００４３】
以上のように、配置例Ａでは、ＰＤＣＣＨ＋が配置されるＣＣＥ＋を構成するリソースエレメント領域に割り当てられたＰＤＣＣＨが配置されるＣＣＥのＣＣＥ番号から、番号を選択し、ＣＣＥ＋番号とする。これにより、ＰＤＣＣＨとＰＤＣＣＨ＋とを同時に送信する場合においても、ＣＣＥ番号とＣＣＥ＋番号とが重複して選択されないようになるので、ＣＣＥ番号及びＣＣＥ＋番号に対応付けられたＡＣＫ／ＮＡＣＫの衝突確率を低減することができる。
【００４４】
また、配置例Ａでは、ＬＴＥ用のＰＤＣＣＨが配置可能なＣＣＥのリソースエレメント領域に、ＣＣＥ＋を詰めて配置する。これにより、ＣＣＥ＋の開始位置を限定することができるので、受信側の移動局のブラインド検出回数を低減し、受信処理量を低減することができる。また、ＣＣＥ＋数が大きい場合に、余りとなるリソースエレメント領域を連続して確保することができ、この余りとなるリソースエレメント領域に、ＰＤＣＣＨ、又は、ＣＣＥ＋数が小さいＰＤＣＣＨ＋を配置することができ、リソース有効利用を図ることができる。
【００４５】
［配置例Ｂ］
図４に、別の配置例として、配置例Ｂを示す。
【００４６】
ＬＴＥでは、ＣＣＥのブラインド検出の回数を少なくするために、ＣＣＥ番号と、移動局のユーザＩＤとを関連付ける方法が検討されている。この場合、ＬＴＥ移動局は、受信することができるＣＣＥ番号が限定される。
【００４７】
例えば、配置例Ａにおいて、ＬＴＥ移動局が受信することができるＣＣＥ番号が、＃１〜＃１２のみである場合に、ＬＴＥ＋移動局がＣＣＥ＋数１のＣＣＥ＋＃９を使用すると、ＬＴＥ移動局は、ＣＣＥ数４のＣＣＥ＃５〜８及びＣＣＥ＃９〜１２を共に使用することができなくなる。そのため、ＬＴＥ移動局が使用できるＣＣＥ番号の候補は、ＣＣＥ＃１〜４だけになってしまう。
【００４８】
同様に、配置例Ａにおいて、ＬＴＥ移動局が受信することができるＣＣＥ番号が、＃１〜＃１２のみである場合に、ＬＴＥ＋移動局がＣＣＥ＋数１のＣＣＥ＋＃９を使用すると、ＬＴＥ移動局は、ＣＣＥ数８のＣＣＥ＃１〜８及びＣＣＥ＃９〜１６を共に使用するこ
とができなくなる。そのため、ＬＴＥ移動局が使用できるＣＣＥ番号がなくなってしまう。
【００４９】
配置例Ａでは、ＣＣＥ数及びＣＣＥ＋数が大きくなるほど、ＣＣＥ数ｊを構成するリソースエレメント領域の開始位置とＣＣＥ＋数ｊを構成するリソースエレメント領域の開始位置とがずれていく。そのため、ＣＣＥ数（又はＣＣＥ＋数）が大きくなるほど、あるＣＣＥ＋番号（又はＣＣＥ番号）が既に使用される場合に、使用できるＣＣＥ番号（又はＣＣＥ＋番号）が少なくなってしまう。
【００５０】
そこで、ＣＣＥ数ｊ及びＣＣＥ＋数ｊが大きい場合に、ＣＣＥ数ｊを構成するリソースエレメント領域の開始位置とＣＣＥ＋数ｊを構成するリソースエレメント領域の開始位置とが揃うような配置例Ｂを示す。
【００５１】
図４に示すＣＣＥ＋数１の例では、１６個のＣＣＥを構成するリソースエレメント領域の先頭から、ＣＣＥ＋＃１，ＣＣＥ＋＃３を配置し、次にＣＣＥ＃４を配置し、次にＣＣＥ＋＃５，ＣＣＥ＋＃７を配置する。このように、リソースエレメント領域の先頭から、２つのＣＣＥ＋＃１，ＣＣＥ＋＃３を配置し、次にＣＣＥ＃４を１つ挟んで、ＣＣＥ＋＃５，ＣＣＥ＋＃７を配置するようにすることで、ＣＣＥ＋＃５の開始位置が、
ＣＣＥ＃ｉ  ｍｏｄ  ４  ＝１  
を満たし、ＣＣＥ数４の開始位置に合わせることができる。
【００５２】
因みに、ＣＣＥ数２の開始位置に合わせて、ＣＣＥ＋数１のＣＣＥ＋＃１とＣＣＥ＋＃３を配置することも可能である。しかし、この場合には、ＣＣＥ＋＃１とＣＣＥ＋＃３との間のリソースエレメント領域が１８ＲＥとなり、ＣＣＥ（３６ＲＥ）を割り当てることができず、無駄な領域が生じてしまう。そのため、ＣＣＥ＋が５４ＲＥで構成される場合には、ＣＣＥ＋数１を、配置例Ｂのように配置するのが好ましい。
【００５３】
また、配置例Ｂでは、ＣＣＥ＋数ＫがＫ＝２，４，８の場合、ＣＣＥ＋の開始位置を、ＣＣＥ＃ｉ  ｍｏｄ（２×Ｋ）＝１  
を満たすＣＣＥ＃ｉの開始位置とする。
【００５４】
具体的には、図４に示す配置例Ｂでは、ＣＣＥ＋数２の開始位置の候補を、ＣＣＥ＃１，ＣＣＥ＃５，ＣＣＥ＃９，ＣＣＥ＃１３の開始位置とし、ＣＣＥ＋数４の開始位置の候補を、ＣＣＥ＃１，ＣＣＥ＃９の開始位置とし、ＣＣＥ＋数８の開始位置の候補を、ＣＣＥ＃１の開始位置とする。
【００５５】
このようにすると、ＣＣＥ＋数２は、ＣＣＥ数４と開始位置が揃い、ＣＣＥ＋数４は、ＣＣＥ数８と開始位置が揃うようになる。そのため、配置例Ａに比べ、あるＣＣＥ＋が選択された場合に、複数のＣＣＥが使用できなくなる状況を少なくすることができる。
【００５６】
例えば、ＬＴＥ移動局が受信することができるＣＣＥ番号が、＃１〜＃１２のみである場合に、ＬＴＥ＋移動局がＣＣＥ＋数１のＣＣＥ＋＃９を使用すると、配置例Ａでは、ＬＴＥ移動局は、ＣＣＥ数４のＣＣＥ＃５〜８及びＣＣＥ＃９〜１２を使用できなくなるのに対し、配置例Ｂでは、使用できなくなるのはＣＣＥ＃５〜８だけになる。
【００５７】
また、ＬＴＥ移動局が受信することができるＣＣＥ番号が、＃１〜＃１２のみである場合に、ＬＴＥ＋移動局がＣＣＥ＋数１のＣＣＥ＋＃９を使用すると、配置例Ａでは、ＬＴＥ移動局は、ＣＣＥ数８のＣＣＥ＃１〜８及びＣＣＥ＃９〜１６が共に使用できなくなるのに対し、配置例Ｂでは、使用できなくなるのはＣＣＥ＃１〜８だけになる。
【００５８】
なお、配置例Ｂは、ＣＣＥ数４を、基準となるＣＣＥ数とした配置例とも考えられる。すなわち、配置例Ｂでは、基準となるＣＣＥ数を構成するリソースエレメント領域（以下「基準リソースエレメント領域」という）を基準として、ＣＣＥ＋を配置している。
【００５９】
具体的には、ＣＣＥ＋数１のように、基準リソースエレメント領域に、複数個のＰＤＣＣＨ＋を割り当てることができる場合には、ＣＣＥ＋数１のＰＤＣＣＨ＋を複数個割り当てる。図４の配置例Ｂでは、基準リソースエレメント領域（ＣＣＥ＃１〜ＣＣＥ＃４）に、ＣＣＥ＋数１の２つのＣＣＥ＋＃１，ＣＣＥ＋＃３が割り当てられている。
【００６０】
ＣＣＥ＋数２のように、基準リソースエレメント領域に、ＣＣＥ＋数２のＰＤＣＣＨ＋を１つしか配置することができない場合には、ＣＣＥ＋数２のＰＤＣＣＨ＋を１つ配置し、基準リソースエレメント領域を整数倍した領域の開始位置を、次のＣＣＥ＋数２のＰＤＣＣＨ＋を割り当てる開始位置とする。
【００６１】
図４の配置例Ｂでは、基準リソースエレメント領域（ＣＣＥ＃１〜ＣＣＥ＃４）に、ＣＣＥ＋数２のＣＣＥ＋＃１，３が配置される。そして、基準リソースエレメント領域の終了位置が、次のＣＣＥ＋数２のＣＣＥ＋＃５，７の開始位置となる。
【００６２】
ＣＣＥ数＋４又はＣＣＥ＋数８のように、基準リソースエレメント領域に、ＣＣＥ＋数４又はＣＣＥ＋数８のＰＤＣＣＨ＋を１つも割り当てることができない場合には、基準リソースエレメント領域を超えてＣＣＥ＋数４又はＣＣＥ＋数８のＰＤＣＣＨ＋を割り当てる。基準リソースエレメント領域に、ＣＣＥ＋数４又はＣＣＥ＋数８を構成するリソースエレメント領域が１つしか含まれない場合には、ＣＣＥ＋数４又はＣＣＥ＋数８の開始位置を基準リソースエレメント領域の２倍の領域の終了位置とする。ＣＣＥ＋数４又はＣＣＥ＋数８を構成する領域に含まれる基準リソースエレメント領域の数が２以上４未満の場合は、ＣＣＥ＋数４又はＣＣＥ＋数８の開始位置を基準リソースエレメント領域の４倍の領域の終了位置とする。
【００６３】
このように、配置例Ｂでは、ＰＤＣＣＨが配置されるＣＣＥの数のうち、いずれか一つを基準ＣＣＥ数として選択し、ＰＤＣＣＨ＋が配置されるＣＣＥ＋を構成するリソースエレメント領域の開始位置を、基準リソースエレメント領域の整数倍の開始位置に合わせる。これにより、配置例Ａに比べ、ＣＣＥとＣＣＥ＋とが混在する場合に、使用できるＣＣＥ番号又はＣＣＥ＋番号を多くすることができる。このように、配置例Ｂは、ＬＴＥ＋のＰＤＣＣＨ＋の配置がＬＴＥのＰＤＣＣＨの配置に与える影響が少ないので、ＬＴＥ移動局が多い場合に適している。
【００６４】
［基地局装置の構成］
図５に、上述の配置例Ａ又は配置例Ｂように割り当てられたＣＣＥ＋番号割当マッピングを用いて、ＰＤＣＣＨ又はＰＤＣＣＨ＋をＣＣＥ又はＣＣＥ＋に割り当てる基地局の要部構成を示す。
【００６５】
図５の基地局１００は、無線受信部１０１、復調・復号部１０２、ＡＣＫ／ＮＡＣＫ受信部１０３、制御部１０４、ＣＣＥ・ＣＣＥ＋マッピング部１０５、変調・符号化部１０６、ＲＥ（Resource Element：リソースエレメント）マッピング部１０７及び無線送信部１０８を備える。
【００６６】
無線受信部１０１は、アンテナを介して移動局から送信される信号を受信し、ダウンコンバート等の無線処理を施し、無線処理後の受信信号を復調・復号部１０２及びＡＣＫ／ＮＡＣＫ受信部１０３に出力する。
【００６７】
復調・復号部１０２は、受信信号を復調・復号し受信データを取得する。
【００６８】
ＡＣＫ／ＮＡＣＫ受信部１０３は、移動局からのＡＣＫ／ＮＡＣＫ信号を受信し、ＡＣＫ／ＮＡＣＫ信号を制御部１０４に出力する。
【００６９】
制御部１０４は、制御信号を生成する。制御信号には、上り回線及び下り回線の割当情報、電力制御情報等が含まれる。制御部１０４は、制御信号を、ＣＣＥ・ＣＣＥ＋マッピング部１０５に出力する。
【００７０】
ＣＣＥ・ＣＣＥ＋マッピング部１０５は、ＣＣＥ又はＣＣＥ＋に、制御信号を含むＰＤＣＣＨ又はＰＤＣＣＨ＋を割り当てる。なお、ＣＣＥ・ＣＣＥ＋マッピング部１０５は、上述の配置例Ａ又は配置例Ｂに従うＣＣＥ＋番号割当マッピングに基づいて、制御信号を含むＰＤＣＣＨ又はＰＤＣＣＨ＋をＣＣＥ又はＣＣＥ＋に割り当てる。ＣＣＥ・ＣＣＥ＋マッピング部１０５が、配置例Ａ又は配置例Ｂを用いることにより、受信側におけるブラインド検出での開始位置の候補数を低減することができる。ＣＣＥ・ＣＣＥ＋マッピング部１０５は、ＰＤＣＣＨ又はＰＤＣＣＨ＋、及びＰＤＣＣＨ又はＰＤＣＣＨ＋の割当情報をＲＥマッピング部１０７に出力する。
【００７１】
変調・符号化部１０６は、送信データを変調・符号化して変調信号を得、変調信号をＲＥマッピング部１０７に出力する。
【００７２】
ＲＥマッピング部１０７は、ＣＣＥ・ＣＣＥ＋マッピング部１０５において配置された割当情報に従い、ＰＤＣＣＨ又はＰＤＣＣＨ＋をＲＥにマッピングし、変調信号をＲＥにマッピングし、マッピング後の変調信号を無線送信部１０８に出力する。
【００７３】
無線送信部１０８は、変調信号にアップコンバート等の無線処理を施して、アンテナを介して移動局に送信する。
【００７４】
［移動局装置の構成］
図６に、基地局１００から送信されるＬＴＥ＋システムの信号を受信する移動局の要部構成を示す。図６の移動局２００は、無線受信部２０１、制御信号抽出部２０２、ＣＲＣ（Cyclic Redundancy Check）部２０３、制御部２０４、変調部２０５、ＲＥマッピング部２０６、復調・復号部２０７、エラー判定部２０８、変調・符号化部２０９及び無線送信部２１０を備える。
【００７５】
無線受信部２０１は、アンテナを介して基地局から送信される信号を受信し、ダウンコンバート等の無線処理を施し、無線処理後の受信信号を制御信号抽出部２０２及び復調・復号部２０７に出力する。
【００７６】
制御信号抽出部２０２は、ブラインド検出候補情報を入力とし、ＰＤＣＣＨ＋から、自局宛のＣＣＥ＋をブラインド検出する。ブラインド検出候補情報は、ＣＣＥ＋の開始位置の候補を示す情報であり、制御信号抽出部２０２は、開始位置の候補とされるＣＣＥ＋を検索し、自局宛のＣＣＥ＋を抽出する。制御信号抽出部２０２は、自局宛の制御信号を抽出すると、ＣＲＣ部２０３に制御信号を出力する。
【００７７】
ＣＲＣ部２０３は、制御信号抽出部２０２から出力される制御信号にＣＲＣを行う。例えば、ＣＲＣ部２０３は、自局のＩＤ番号でＣＲＣビットをデマスキングすることにより、ＣＲＣ＝ＯＫ（誤り無し）であれば、制御信号を制御部２０４及びＲＥマッピング部２０６に出力する。また、ＣＲＣ部２０３は、ＣＲＣ判定結果を制御部２０４に出力する。また、ＣＲＣ部２０３は、自局宛の制御御信号を抽出したＣＣＥ＋の番号からＡＣＫ／Ｎ
ＡＣＫの送信位置を判定し、判定した送信位置の情報を、ＲＥマッピング部２０６に出力する。
【００７８】
制御部２０４は、制御信号から下り回線の割当情報と上り回線の割当情報を抽出し、また、ＣＣＥ＋番号に応じてＡＣＫ／ＮＡＣＫ信号を送信する位置を決定する。制御部２０４は、下り回線の割当情報を復調・復号部２０７に出力する。また、制御部２０４は、上り回線の割当情報を、ＲＥマッピング部２０６に出力する。また、制御部２０４は、エラー判定部２０８からのエラー判定結果より、ＡＣＫ／ＮＡＣＫを生成し、ＡＣＫ／ＮＡＣＫを変調部２０５に出力する。ただし、ＣＲＣ部２０３からのＣＲＣ判定結果がＣＲＣ＝ＮＧ（誤り有り）であると、割当情報を生成することができないので、出力を中止する。
【００７９】
変調部２０５は、ＡＣＫ／ＮＡＣＫの情報を変調して、変調後のＡＣＫ／ＮＡＣＫをＲＥマッピング部２０６に出力する。
【００８０】
ＲＥマッピング部２０６は、上り回線の割当情報、及び、ＡＣＫ／ＮＡＣＫの送信位置に基づいて、送信データ及びＡＣＫ／ＮＡＣＫをＲＥにマッピングし、無線送信部２１０に出力する。
【００８１】
復調・復号部２０７は、制御部２０４から出力される下り回線の割当情報に基づいて、受信信号を復調・復号し、受信データをエラー判定部２０８に出力する。
【００８２】
エラー判定部２０８は、受信データに誤りがあるか否か判定し、エラー判定結果を制御部２０４に出力する。また、エラー判定部２０８は、受信データを図示せぬ受信データ処理部に出力する。
【００８３】
変調・符号化部２０９は、送信データ及び制御信号を変調・符号化して変調信号を取得し、取得した変調信号をＲＥマッピング部２０６に出力する。
【００８４】
無線送信部２１０は、変調信号にアップコンバート等の無線処理を施して、アンテナを介して基地局へ送信する。
【００８５】
以上、本実施の形態におけるＣＣＥ＋番号割当方法、基地局及びＬＴＥ＋移動局の要部構成について説明した。
【００８６】
以上のように、本実施の形態では、ＰＤＣＣＨ＋が配置されるＣＣＥ＋を構成するリソースエレメント領域に割り当てられたＰＤＣＣＨが配置されるＣＣＥのＣＣＥ番号から、番号を選択し、ＣＣＥ＋番号とする。これにより、ＰＤＣＣＨが配置されるＣＣＥ番号と、ＰＤＣＣＨ＋が配置されるＣＣＥ＋番号とが重複することがないので、ＡＣＫ／ＮＡＣＫの衝突を避けることができる。
【００８７】
また、ＰＤＣＣＨが配置可能なＣＣＥのリソースエレメント領域に、ＣＣＥ＋を詰めて配置する。これにより、ＣＣＥ＋の開始位置を限定することができるので、受信側の移動局のブラインド検出回数を低減し、受信処理量を低減することができる。また、ＣＣＥ＋数が大きい場合に、余りとなるリソースエレメント領域を連続して確保することができ、この余りとなるリソースエレメントに、ＣＣＥ＋数が小さいＣＣＥ又はＣＣＥ＋を配置することができ、リソース有効利用を図ることができる。
【００８８】
また、ＰＤＣＣＨが配置されるＣＣＥの数のうち、いずれか一つを基準ＣＣＥ数として選択し、ＰＤＣＣＨ＋が配置されるＣＣＥ＋を構成するリソースエレメント領域の開始位置を、基準リソースエレメント領域の整数倍の開始位置に合わせる。これにより、使用で
きるＣＣＥ番号又はＣＣＥ＋番号を多くすることができ、ＰＤＣＣＨ＋の配置がＰＤＣＣＨの配置に与える影響が少ないので、ＬＴＥ移動局が多い場合においても周波数利用効率を向上させることができる。
【００８９】
（実施の形態２）
本実施の形態では、ＬＴＥ＋用のＣＣＥ＋を４８ＲＥで構成し、ＬＴＥ用のＣＣＥ４つで、ＣＣＥ＋３つを構成する場合について説明する。このとき、実施の形態１と同様に、ＰＤＣＣＨ＋が配置されるＣＣＥ＋を構成するリソースエレメント領域に割り当てられたＰＤＣＣＨが配置されるＣＣＥのＣＣＥ番号から、番号を選択し、ＣＣＥ＋番号とする。これにより、ＬＴＥ用のＰＤＣＣＨとＬＴＥ＋用のＰＤＣＣＨ＋とを、同時に送信する場合においもて、ＣＣＥ番号とＣＣＥ＋番号とが重複して選択されないようになるので、ＣＣＥ番号及びＣＣＥ＋番号に対応付けられたＡＣＫ／ＮＡＣＫの衝突確率を低減することができる。
【００９０】
図７に、本実施の形態におけるＣＣＥ及びＣＣＥ＋の配置例を示す。
【００９１】
図７に示す例では、ＣＣＥ＃１〜＃４の４つのＣＣＥを構成するリソースエレメント領域を３つに分割している。そして、４つのＣＣＥを構成するリソースエレメント領域に割り当てられた４つのＣＣＥ番号（１，２，３，４）から、３つの番号、具体的には、番号の小さい順に「１」、「２」、「３」を選択し、選択した番号をＣＣＥ＋番号として割り当てている。
【００９２】
上述したように、ＬＴＥ＋では、アンテナ数の増加、割当帯域の増加により、送信すべき制御情報量がＬＴＥに比べ多くなると予想される。そのため、ＣＣＥ＋のサイズをＣＣＥのサイズより大きくする必要がある。図７の配置例では、ＣＣＥ＋を３６×４／３＝４８ＲＥで構成する。このようにして、本実施の形態では、ＣＣＥのサイズより大きいサイズをＣＣＥ＋サイズとして確保する。
【００９３】
このとき、ＣＣＥとＣＣＥ＋とを、図７に示すような配置とすることにより、ＬＴＥ＋システムにおいて、ＰＤＣＣＨ＋がＣＣＥ＋＃１，＃２，＃３に配置される場合には、ＬＴＥシステムでは、ＰＤＣＣＨをＣＣＥ＃１〜＃４に配置されないようにする。また、ＬＴＥシステムにおいて、ＰＤＣＣＨがＣＣＥ＃１〜＃４に配置される場合には、ＬＴＥ＋システムでは、ＰＤＣＣＨ＋をＣＣＥ＋＃１〜＃４に配置されないようにする。
【００９４】
このようにして、ＬＴＥとＬＴＥ＋とで共通のルールを用いてＰＤＣＣＨ及びＰＤＣＣＨ＋を配置する。このようにして配置されたＰＤＣＣＨ、ＰＤＣＣＨ＋を用いて、ＡＣＫ／ＮＡＣＫを送信するようにすると、ＰＤＣＣＨが配置されるＣＣＥ番号と、ＰＤＣＣＨ＋が配置されるＣＣＥ＋番号とが重複することがないので、ＡＣＫ／ＮＡＣＫの衝突を避けることができる。これにより、ＬＴＥ＋移動局も、ＬＴＥ移動局と同時にＡＣＫ／ＮＡＣＫ信号を送信することができる。
【００９５】
なお、図７は、ＣＣＥ番号及びＣＣＥ＋番号の配置を表しており、送信時には、ＣＣＥ及びＣＣＥ＋を４ＲＥごとに分割したＲＥＧ（resource element group）単位でインタリーブが掛けられて順番が入れ替わり送信される。
【００９６】
［配置例Ｃ］
図８に、ブラインド検出の回数を減少することができる配置例Ｃを示す。
【００９７】
配置例Ｃでは、ＣＣＥ＃１〜ＣＣＥ＃１６を構成するリソースエレメント領域の先頭からＣＣＥ＋が詰められるようにして配置されている。すなわち、ＣＣＥ＋数１の開始位置
の候補を、
ＣＣＥ＃  ｍｏｄ  ４  ＝１  
となるＣＣＥ＃ｉ（ＣＣＥ番号がｉ）の開始位置と、当該ＣＣＥ＃ｉの開始位置から、ＣＣＥ＋を構成するリソースエレメント領域（４８ＲＥ）及びＣＣＥ＋を構成するリソースエレメント領域の２倍の領域（９６ＲＥ）シフトした位置とする。
【００９８】
このように、連続する３個のＣＣＥ＋を構成するリソースエレメント領域の開始位置を、
ＣＣＥ＃ｉ  ｍｏｄ  ４  ＝１  
となるＣＣＥ＃ｉのリソースエレメントの領域開始位置に合わせるような配置をとることにより、ＣＣＥ＃ｉの開始位置と、当該ＣＣＥ＃ｉの開始位置から（４８×Ｋ）ＲＥ及び（９６×Ｋ）ＲＥシフトした位置に限定することができるので、受信側のブラインド検出における候補位置を絞り込むことができる。
【００９９】
また、ＣＣＥ＋数がＫ（Ｋ≧２の整数）の場合、ＣＣＥ＋の開始位置の候補を、
ＣＣＥ＃ｉ  ｍｏｄ（４×Ｋ）＝１
を満たすＣＣＥ＃ｉの開始位置とする。
【０１００】
このように、配置例Ｃでは、ＣＣＥ＋の開始位置を限定することができるため、受信側でのブラインド検出回数を低減し、受信処理量を低減することができる。
【０１０１】
また、ＣＣＥ＋をリソースエレメント領域の先頭から隙間なく詰めて配置することにより、ＣＣＥ＋数４まで余りなく配置することができる。
【０１０２】
［配置例Ｄ］
図９に、別の配置例として、配置例Ｄを示す。
【０１０３】
上述の配置例Ｃでは、配置例Ａと同様に、ＬＴＥ移動局が受信することができるＣＣＥ番号が、＃１〜＃１２のみである場合に、ＬＴＥ＋移動局がＣＣＥ＋数２のＣＣＥ＋＃３，５を使用すると、ＬＴＥ移動局は、ＣＣＥ数１のＣＣＥ＃３〜ＣＣＥ＃６を使用することができなくなり、ＣＣＥ数４のＣＣＥ＃５〜８及びＣＣＥ＃９〜１２を共に使用することができなくなる。
【０１０４】
このように、配置例Ｃでは、配置例Ａと同様に、ＣＣＥ数及びＣＣＥ＋数が大きくなるほど、ＣＣＥ数ｊを構成するリソースエレメント領域の開始位置とＣＣＥ＋数ｊを構成するリソースエレメント領域の開始位置とがずれていく。そのため、ＣＣＥ数（又はＣＣＥ＋数）が大きくなるほど、あるＣＣＥ＋番号（又はＣＣＥ番号）が既に使用される場合に、使用できるＣＣＥ番号（又はＣＣＥ＋番号）が少なくなってしまう。
【０１０５】
そこで、ＣＣＥ数ｊ及びＣＣＥ＋数ｊが大きい場合に、ＣＣＥ数ｊを構成するリソースエレメント領域の開始位置とＣＣＥ＋数ｊを構成するリソースエレメント領域の開始位置とが揃うような配置例Ｄを示す。
【０１０６】
図９に示す配置例Ｄの例では、１６個のＣＣＥを構成するリソースエレメント領域の先頭から、ＬＴＥ＋のＣＣＥ＋が割当てられた場合に、ＬＴＥのＣＣＥのうち使用できなくなるリソースが少なくなるように設定した配置例である。
【０１０７】
図９に示す配置例Ｄでは、配置例Ｂと同様に、ＣＣＥ＋数ＫがＫ＝２，４，８の場合は、ＣＣＥ＋の開始位置を、
ＣＣＥ＃ｉ  ｍｏｄ（２×Ｋ）＝１
を満たす位置とする。
【０１０８】
また、ＣＣＥ＋数ＫがＫ＝１の場合は、配置例Ｃと同様に、ＣＣＥ＋数１の開始位置の候補を、
ＣＣＥ＃ｉ  ｍｏｄ  ４  ＝１  
となるＣＣＥ＃ｉ（ＣＣＥ番号がｉ）の開始位置と、当該ＣＣＥ＃ｉの開始位置から４８ＲＥシフトした位置及び９６ＲＥシフトした位置とする。
【０１０９】
このようにすると、ＣＣＥ＋数２は、ＣＣＥ数４と開始位置が揃い、ＣＣＥ＋数４は、ＣＣＥ数８と開始位置が揃うようになる。このように、ＣＣＥ＋数ｊの開始位置を、ＣＣＥ数２ｊの開始位置と揃えることで、あるＣＣＥ＋が選択された場合に、複数のＣＣＥが使用できなくなる状況を少なくすることができる。
【０１１０】
例えば、ＬＴＥ＋移動局がＣＣＥ＋数２のＣＣＥ＋＃５，６を選択した場合、ＬＴＥ移動局が使用できなくなるＣＣＥは、ＣＣＥ数１のＣＣＥ＃５，＃６，＃７、ＣＣＥ数２のＣＣＥ＃５，６，ＣＣＥ＃７，８、ＣＣＥ数４のＣＣＥ＃５〜８、ＣＣＥ数８のＣＣＥ＃１〜８となり、配置例Ｃにおいて、ＬＴＥ＋移動局がＣＣＥ＋数２のＣＣＥ＃３，５を選択した場合と比較して、ＬＴＥ移動局が使用できなくなるＣＣＥ数を少なくすることができる。
【０１１１】
なお、配置例Ｄは、ＣＣＥ数４を構成する領域を基準リソースエレメント領域とした配置例とも考えられる。すなわち、配置例Ｄでは、このＣＣＥ数４を構成する基準リソースエレメント領域を基準として、ＣＣＥ＋を配置している。
【０１１２】
具体的には、ＣＣＥ＋数１のように、基準リソースエレメント領域に、ＣＣＥ＋数１のＰＤＣＣＨ＋を複数個割り当てることができる場合には、ＣＣＥ＋数１を複数個割り当てる。図９の配置例Ｄでは、基準リソースエレメント領域（ＣＣＥ＃１〜ＣＣＥ＃４）に、ＣＣＥ＋数１の３つのＣＣＥ＋＃１，ＣＣＥ＋＃２，ＣＣＥ＋＃３が割り当てられている。
【０１１３】
ＣＣＥ＋数２のように、基準リソースエレメント領域に、ＣＣＥ＋数２のＰＤＣＣＨ＋を１つしか配置することができない場合には、ＣＣＥ＋数２のＰＤＣＣＨ＋を１つ配置し、基準リソースエレメント領域を整数倍した領域の開始位置を、次のＣＣＥ＋数２のＰＤＣＣＨ＋を割り当てる開始位置とする。
【０１１４】
図９の配置例Ｄでは、基準リソースエレメント領域（ＣＣＥ＃１〜ＣＣＥ＃４）に、ＣＣＥ＋数２のＣＣＥ＋＃１，２が配置される。そして、基準リソースエレメント領域の終了位置が、次のＣＣＥ＋数２のＣＣＥ＋＃５，６の開始位置となる。
【０１１５】
ＣＣＥ数４又はＣＣＥ数８のように、基準リソースエレメント領域に、ＣＣＥ＋数４又はＣＣＥ＋数８のＰＤＣＣＨ＋を１つも割り当てることができない場合には、基準リソースエレメント領域を超えてＣＣＥ＋数４又はＣＣＥ＋数８のＰＤＣＣＨ＋を割り当てる。基準リソースエレメント領域に、ＣＣＥ＋数４又はＣＣＥ＋数８を構成する領域が１しか含まれない場合は、ＣＣＥ＋数４又はＣＣＥ＋数８の開始位置を基準となる領域の２倍の領域の終了位置とする。ＣＣＥ＋数４又はＣＣＥ＋数８を構成する領域に含まれる基準となる領域の数が２以上４未満の場合は、ＣＣＥ＋数４又はＣＣＥ＋数８の開始位置を基準となる領域の４倍の領域の終了位置とする。
【０１１６】
以上、ＬＴＥ＋用のＣＣＥ＋が４８ＲＥで構成され、ＣＣＥ４つで、ＣＣＥ＋３つを構成する場合のＣＣＥ＋番号割当方法について説明した。なお、上述のように割り当てられ
たＣＣＥ＋番号を用いて、ＰＤＣＣＨ又はＰＤＣＣＨ＋をＣＣＥ又はＣＣＥ＋に割り当てる基地局、及び、当該基地局から送信される信号を受信する移動局の構成は、実施の形態１と同様である。
【０１１７】
（実施の形態３）
実施の形態２では、ＣＣＥ＋を４８ＲＥで構成し、ＣＣＥ＋数が、１，２，４，８の場合について説明した。本実施の形態では、ＣＣＥ＋を４８ＲＥで構成し、ＣＣＥ＋数を、１，３，６とする場合の配置例を示す。
【０１１８】
［配置例Ｅ］
図１０に、本実施の形態における配置例Ｅを示す。配置例Ｅでは、ＣＣＥ＋を４８ＲＥで構成する、すなわち、ＣＣＥ４つで、ＣＣＥ＋３つを構成する場合に、ＣＣＥ＋数を１，３，６とする。このようにすることで、ＣＣＥ＋数３の開始位置とＣＣＥ数４の開始位置とを揃えることができる。また、ＣＣＥ＋数６の開始位置とＣＣＥ数８の開始位置とを揃えることができる。
【０１１９】
このように、ＣＣＥ４つで、ＣＣＥ＋３つを構成する場合に、ＣＣＥ＋数を１，３，６とすることにより、ＣＣＥ＋数（３×ｑ）の開始位置を、ＣＣＥ数（４×ｑ）の開始位置と揃えることができ、この結果、あるＣＣＥ＋が選択された場合に、複数のＣＣＥが使用できなくなる状況を少なくすることができる（ｑは自然数）。
【０１２０】
例えば、ＬＴＥ＋移動局がＣＣＥ＋数３のＣＣＥ＋＃５，６，７を選択した場合、ＬＴＥ移動局はＣＣＥ数４のＣＣＥ＃１〜４又はＣＣＥ＃９〜１２のどちらも選択することができるようになる。
【０１２１】
すなわち、Ｎ個のＣＣＥを構成するリソースエレメント領域を、Ｍ個のＣＣＥ＋に分割し、Ｎ個のＣＣＥで、Ｍ個のＣＣＥ＋を構成する場合に、ＣＣＥ＋数ＫをＫ＝１，Ｍ×Ｌとする。ここで、Ｌは、ＣＣＥ数をあらわし、ＬＴＥでは、Ｌ＝２ｑ−１（ｑは自然数）である。ＣＣＥ＋数ＫをＫ＝１，Ｍ×Ｌとすると、ＣＣＥ＋数（Ｍ×ｑ）の開始位置とＣＣＥ数（Ｎ×ｑ）の開始位置とを揃えることができるようになる（Ｍ及びＮは、自然数）。
【０１２２】
上述したように、ＬＴＥ＋では、アンテナ数の増加、割当帯域の増加により、送信すべき制御情報量がＬＴＥに比べ多くなると予想される。そのため、ＣＣＥ＋のサイズをＣＣＥのサイズより大きくする必要がある。このとき、Ｎが、Ｎ＞Ｍを満たす自然数とすると、ＣＣＥのサイズより大きいサイズをＣＣＥ＋のサイズとして確保することができる。また、ＣＣＥ＋のサイズとして必要なサイズは、ＣＣＥのサイズの２倍未満で十分と考えられるので、Ｎ／Ｍ＜２を満たすＭ及びＮを設定するようにしてもよい。これにより、ＬＴＥ＋の制御情報を効率よくリソースに割り当てることができる。
【０１２３】
このように、１つのＣＣＥ＋を構成するリソースエレメント領域のＭ倍（Ｍは自然数）が、１つのＣＣＥを構成するリソースエレメント領域のＮ倍に等しい場合に、ＣＣＥ＋数ＫをＫ＝１，Ｍ×Ｌとする。例えば、Ｎ＝４、Ｍ＝３の場合、ＣＣＥ＋数Ｋは、Ｋ＝１，３，６…となり、配置例Ｅと一致する。
【０１２４】
なお、配置例Ｅでは、Ｎが、ＣＣＥ数Ｌのいずれかと一致する。具体的には、配置例Ｅでは、Ｎ＝４であり、ＣＣＥ数４のリソースエレメント領域を、Ｍ（＝３）個のＣＣＥ＋に割り当てているため、配置例Ｅでは、ＣＣＥ＋数（３×ｑ）の開始位置と、ＣＣＥ数（４×ｑ）の開始位置とを揃えつつ、かつ、ＣＣＥ及びＣＣＥ＋を余りなく配置することができる。
【０１２５】
以上のように、本実施の形態では、１つのＣＣＥ＋を構成するリソースエレメント領域のＭ倍（Ｍは自然数）が、１つのＣＣＥを構成するリソースエレメント領域のＮ倍（Ｎは、Ｎ＞Ｍ、及び、Ｎ／Ｍ＜２を満たす自然数）に等しく、Ｎ個のＣＣＥで、Ｍ個のＣＣＥ＋を構成する場合に、ＣＣＥ＋数ＫをＫ＝１，Ｍ×Ｌとする。これにより、ＣＣＥ＋数（Ｍ×ｑ）の開始位置を、ＣＣＥ数（Ｎ×ｑ）の開始位置と揃えることができるので（ｑは自然数）、あるＣＣＥ＋が選択された場合に、複数のＣＣＥが使用できなくなる状況を少なくすることができる。
【０１２６】
また、Ｎが、ＣＣＥ数Ｌのいずれかと一致する場合には、上記効果に加え、ＣＣＥ及びＣＣＥ＋を余りなく配置することができる。
【０１２７】
なお、上述のように割り当てられたＣＣＥ＋番号を用いて、制御信号をＣＣＥ又はＣＣＥ＋に割り当てる基地局及び移動局の構成は、実施の形態１と同様である。
【０１２８】
上記実施の形態では、本発明をハードウェアで構成する場合を例にとって説明したが、本発明はソフトウェアで実現することも可能である。
【０１２９】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３０】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１３１】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１３２】
２００８年９月２９日出願の特願２００８−２５０６１８に含まれる明細書、図面及び要約書の開示内容は、すべて本願に援用される。
【産業上の利用可能性】
【０１３３】
本発明にかかるＣＣＥ＋番号割当方法及び基地局装置は、ＬＴＥシステム及びＬＴＥ＋システムが共存する混在システムにおけるＬＴＥ＋システムのＣＣＥ＋番号割当方法及び基地局装置等として有用である。
【符号の説明】
【０１３４】
１００  基地局
１０１，２０１  無線受信部
１０２，２０７  復調・復号部
１０３  ＡＣＫ／ＮＡＣＫ受信部
１０４  制御部
１０５  ＣＣＥ・ＣＣＥ＋マッピング部
１０６，２０９  変調・符号化部
１０７，２０６  ＲＥマッピング部
１０８，２１０  無線送信部
２００  移動局
２０２  制御信号抽出部
２０３  ＣＲＣ部
２０４  制御部
２０５  変調部
２０８  エラー判定部
【図１】
0005419882.tif 000002
【図２】
0005419882.tif 000003
【図３】
0005419882.tif 000004
【図４】
0005419882.tif 000005
【図５】
0005419882.tif 000006
【図６】
0005419882.tif 000007
【図７】
0005419882.tif 000008
【図８】
0005419882.tif 000009
【図９】
0005419882.tif 000010
【図１０】
0005419882.tif 000011